(57)【特許請求の範囲】
【請求項１】
真空掃除機（１）のための逆洗可能なエアフィルタ（２）であって、塵空気室（８）を清浄空気室（４）から分離するフィルタ要素（３）を具備し、フィルタ動作中は、清浄化されるべき空気が前記塵空気室（８）から前記清浄空気室（４）の方へ前記フィルタ要素（３）を通過させられ、前記清浄空気室（４）に清浄空気出口領域（５）が連結され、
前記清浄空気出口領域（５）がバルブ要素（９）を有し、前記バルブ要素（９）は、逆洗動作中、フィルタ動作の流れの方向においては前記清浄空気出口領域（５）よりも下流に位置する二次空気入口経路（１０）が開放することにより、大気による前記フィルタ要素（３）の逆洗を可能とするように構成されている、該エアフィルタ（２）において、
前記バルブ要素（９）が逆止弁（１２）を有し、その逆止弁（１２）は、前記清浄空気室（４）から前記塵空気室（８）の方へ流れる空気の流れによる前記エアフィルタ（２）の通気によって前記清浄空気出口領域（５）を閉鎖することを特徴とするエアフィルタ。
【請求項２】
前記バルブ要素（９）が、逆洗動作中、前記清浄空気室（４）から前記塵空気室（８）の方へ流れる空気の流れを用いて前記清浄空気出口領域（５）を閉鎖しかつ少なくとも１つの前記二次空気入口経路（１０）を開放するように構成され、前記二次空気入口経路（１０）は、前記エアフィルタ（２）の周囲の大気を前記清浄空気室（４）に連通させることを特徴とする請求項１に記載のエアフィルタ。
【請求項３】
前記バルブ要素（９）が、前記清浄空気出口領域（５）上を変位可能、又は、該清浄空気出口領域（５）内を変位可能であることを特徴とする請求項１又は２に記載のエアフィルタ。
【請求項４】
前記バルブ要素（９）及び前記清浄空気出口領域（５）が、互いに対応する二次空気入口開口（１１）を設けられており、それらの二次空気入口開口（１１）が、前記清浄空気出口領域（５）に対する前記バルブ要素（９）の変位によって互いに横並びに揃うことにより前記二次空気入口経路（１０）が開放されることを特徴とする請求項１〜３のいずれかに記載のエアフィルタ。
【請求項５】
前記バルブ要素（９）が前記清浄空気出口領域（５）と接続された復帰要素（１４）を有し、前記復帰要素（１４）がスプリングである場合を含み、前記バルブ要素（９）は、逆洗動作中に前記復帰要素（１４）の復元力に抗して前記清浄空気出口領域（５）を閉鎖しかつ前記二次空気入口経路（１０）を開放するように変位させられることを特徴とする請求項１〜４のいずれかに記載のエアフィルタ。
【請求項６】
前記バルブ要素（９）と清浄化ダクト（６）が、前記エアフィルタ（２）の逆洗動作中、前記二次空気入口経路（１０）を通して大気が前記清浄化ダクト（６）に送り込まれるように互いに配置されていることを特徴とする請求項１〜５のいずれかに記載のエアフィルタ。
【請求項７】
前記清浄化ダクト（６）が、前記清浄空気室（４）内で回転可能に装着された回転空気ダクトであることを特徴とする請求項６に記載のエアフィルタ。
【請求項８】
請求項１〜７のいずれかに記載の逆洗可能なエアフィルタ（２）を有する真空掃除機（１）。
【請求項９】
請求項１〜７のいずれかに記載の逆洗可能なエアフィルタ（２）を動作させる方法であって、
前記逆洗可能なエアフィルタ（２）が、逆洗動作において前記エアフィルタ（２）の吸引口（１５）に対し、フィルタ動作における流れの方向とは逆の方向に流入させる吸引ファンと流体的に接続されており、
前記エアフィルタ（２）の清浄空気出口領域（５）に取り付けられたバルブ要素（９）が、清浄空気室（４）から塵空気室（８）の方へ流れる空気の流れを用いて前記清浄空気出口領域（５）を閉鎖するとともに、大気を前記清浄空気室（４）に流入させるために少なくとも１つの二次空気入口経路（１０）を開放することを特徴とするエアフィルタの動作方法。
【発明の詳細な説明】
【技術分野】
【０００１】
本発明は、特に、清浄空気室から塵空気室を分離するフィルタ要素を具備する真空掃除機のための逆洗（逆流洗浄、逆流清浄化）可能なエアフィルタに関し、そのフィルタ要素には、フィルタ動作において、塵空気室の方から清浄空気室の方に清浄化されるべき空気が通過する。その場合、清浄空気室に清浄空気出口領域が設けられている。
【背景技術】
【０００２】
上述したタイプの逆洗エアフィルタは公知の技術である。これらは、通常、塵及び／又は埃で汚染された空気を清浄化するために用いられる。真空掃除機に関してこれらは、吸引した塵／埃で真空掃除機のファンが詰まってしまうことから保護する。真空掃除機の吸引動作により、通常、フィルタ要素が塵で次第に詰まっていくことが生じる。フィルタ要素は、動作時間が増えるとともに汚れていくので、エアフィルタの逆洗が定期的に必要となる。
【０００３】
特許文献１は、例えば、真空掃除機用の逆洗可能なエアフィルタを開示しており、フィルタ要素内に取り付けられた清浄化ダクトを有し、それは、清浄化のために真空掃除機のコンプレッサを用いて、フィルタ動作における通常の流れの方向とは反対に通過させられる。コンプレッサは２つのバルブブロックを有し、それにより、流れの方向をフィルタ動作から逆洗動作に変えることができる。バルブブロックは、手動スイッチである。
【先行技術文献】
【特許文献】
【０００４】
【特許文献１】独国特許出願公開第195 17 197 A1号公報
【発明の概要】
【発明が解決しようとする課題】
【０００５】
上述したエアフィルタの欠点は、逆洗動作に関して、流れの方向の切替えのために上述したバルブブロックを具備するコンプレッサを備えて装置との組合せでのみ機能することである。
【０００６】
従って本発明の目的は、逆洗可能なエアフィルタを提供することであり、そのエアフィルタは、特にそれが組み込まれる装置の構成とは無関係に逆洗可能であり、それにより多数の装置との互換性を有するものである。
【０００７】
上記目的を実現するために本発明は、主クレームの前段部分により提示される逆洗可能なエアフィルタを提供する。その清浄空気出口領域にはバルブ要素が設けられ、そのバルブ要素は、逆洗動作において、フィルタ動作の流れの方向では清浄空気出口領域の下流にある二次空気入口経路の開放によって、大気によるフィルタ要素の逆洗を可能とするように構成されている。
【０００８】
この本発明により、エアフィルタが、その組み込まれる装置のタイプや構成とは関係なく清浄化されることが可能であるように構築される。逆洗動作のために必要な大気がエアフィルタの二次空気入口経路を通して吸引されるので、清浄空気出口領域から塵空気室の方へ向かう流れの方向に切り換えるために上述したバルブブロックを具備するコンプレッサを設けることが不要となる。
【０００９】
バルブ要素が、逆洗動作において清浄空気室から塵空気室の方へ流れる空気の流れを用いて清浄空気出口領域を閉鎖すること、及び、清浄空気室をエアフィルタ周囲の大気と連通させる少なくとも１つの二次空気入口経路を開放することが提示される。
【００１０】
この実施形態においては、エアフィルタがバルブ要素を有し、バルブ要素は、エアフィルタを通過させる空気の流れの方向に依存して開放されたり閉鎖されたりし、それにより、フィルタ動作又は逆洗動作のいずれかが可能となる。
【００１１】
フィルタ動作から逆洗動作への、又はその逆のエアフィルタの切り換えは、エアフィルタを通過する空気自体の流れの方向により行われる。逆洗動作を開始するために、エアフィルタは、塵空気室の方の外側に吸引ファンを接続される。これは、エアフィルタが搭載される装置、例えば真空掃除機が、吸引ファンを、例えば第２の真空掃除機の第２の吸引ファンを接続されることにより行われる。
本発明のバルブ要素の構成と配置においては、エアフィルタの塵空気室側の吸引により生じる吸引空気流が、逆洗可能なエアフィルタを有する装置における非稼働中の吸引ファンに対して作用することが阻止される。本発明のバルブ要素の補助により、（非稼働中の）吸引ファンはエアフィルタから流体的に分離されるので、その吸引ファンは回転不可となりそれにより電子回路の損傷が回避される。特に好適には、それによって本発明のバルブ要素が同時に２つの異なる機能を果たすことであり、すなわち、１つは（非稼働中の）吸引ファンが一緒に回転することを防ぐこと、もう１つは清浄空気室とフィルタ要素の周囲の間にある二次空気入口経路を開放することである。それにより、エアフィルタの清浄化のために必要な大気が清浄空気室に引き込まれることが可能となる。
【００１２】
バルブ要素が清浄空気出口領域上でスライド可能に、特に清浄空気出口領域内でスライド可能に取り付けられることが提示される。バルブ要素が、清浄空気出口領域上又は清浄空気出口領域内に取り付けられることで、清浄空気室から塵空気室の方へ流れる空気の流れにより変位することが、特に推奨される。バルブ要素は、その幾何学的形状を清浄空気出口領域の形状に適合させることができる。清浄空気出口領域が例えば円筒形に形成されている場合、バルブ要素もまた円筒形部材であることが好適であり、清浄空気出口領域の内部で同軸上で変位可能である。
【００１３】
バルブ要素と清浄空気出口領域が、互いに対応する二次空気入口開口を有することが好適であり、それらは、清浄空気出口領域に対するバルブ要素の変位によって互いに揃うことができ、それにより二次空気入口経路が開放される。バルブ要素が清浄空気出口領域に対してそのように変位可能であることにより、バルブ要素と清浄空気出口領域において互いに対応して設けられた二次空気入口開口が横並びに揃い、それによって、大気が清浄空気室内に到達することができる。バルブ要素と清浄空気出口領域が円筒形部材で形成された場合、バルブ要素は、二次空気入口開口が径方向において横並びに揃うまで清浄空気出口領域に対して同軸上で変位可能であり、それにより、１つの二次空気入口経路が大気に対して開放される。バルブ要素と清浄空気出口領域の双方が、複数の二次空気入口開口を有してもよく、又は、それぞれ１つのみの二次空気入口開口を有してもよい。
【００１４】
好適には、バルブ要素は逆止弁を有する。その逆止弁は、清浄空気室から塵空気室の方への空気の流れによるエアフィルタの通気によって清浄空気出口領域を閉鎖するように配置され構成されている。これに関して、フィルタ動作中の通常の流れの方向とは反対方向に清浄空気室が通気されるとき、バルブ要素が清浄空気出口領域を自動的に閉鎖する。逆止弁の特性に依存して、清浄空気出口領域が、塵空気室の方への空気の流れによる所定の吸引力により閉鎖されることによって、空気の流れが（非稼働中の）吸引ファンに対して作用しないようにできる。
【００１５】
逆止弁が、少なくとも１つの旋回可能な逆止弁フラップを有することが特に推奨される。この意味において、清浄空気出口領域の内部に例えば２つの対称的な逆止弁フラップが設けられる。フィルタ動作から逆洗動作への切り換えにより、清浄空気室の方へのすなわち清浄空気出口領域の開放断面における流れの方向が逆転する結果、それらの逆止弁フラップが旋回し、それにより清浄空気出口領域を閉鎖する。
【００１６】
復帰要素、特にスプリングを介してバルブ要素が清浄空気出口領域と接続されることによって、逆洗動作中に閉鎖される清浄空気出口領域内で、バルブ要素が、復帰要素の復元力に抗して、かつ、二次空気入口経路を塵空気室の方へ開放するように変位することがさらに考慮されている。この特に好適な実施形態においては、閉鎖された逆止弁によりバルブ要素が塵空気室の方へ変位する。この場合、バルブ要素に作用する空気の流れの吸引力が用いられ、その吸引力は、逆止弁例えばその旋回可能な逆止弁フラップに対して作用して塵空気室の方へ引き寄せようとし、同様に、バルブ要素全体が塵空気室の方へ変位させられる。
バルブ要素を変位させかつそれにより二次空気入口経路を通して大気を清浄空気室に引き込めるようになる前には、清浄空気出口領域とバルブ要素の間に設けられた復帰要素の補助により、清浄空気出口領域が予め設定された内部圧力に達しているか又は超えていることが確保される。圧力が、二次空気入口経路を開くために十分である場合、好適には、清浄空気室に流入する大気の量と、外部の吸引ファンにより逆洗可能なエアフィルタから吸引される空気の量との均衡が破れる。
復帰要素は好適にはスプリングであるが、同じ目的で機能するものであれば他の復帰要素でもよい。外部の吸引ファンが遮断された場合、逆洗可能なエアフィルタは再び通気され、そしてバルブ要素は、復帰要素の復元力により再びその初期位置に変位する。それと同時に二次空気入口経路も再び閉鎖される。通気の結果、同時に清浄空気出口領域に設けられた逆止弁が再び開かれ、例えば旋回可能な逆止弁フラップが再びその開放位置に旋回する。
【００１７】
従って、バルブ要素と清浄化ダクトがエアフィルタの逆洗動作において互いに連携することにより、二次空気入口経路を通って吸引された大気が、清浄化ダクト内に押し込まれる。特に単純な実施形態によれば、バルブ要素が清浄空気出口領域の内部で変位可能であることにより、バルブ要素は、その逆洗位置で清浄化ダクトに直接接触する。それにより、二次空気入口経路を通って吸引された大気が清浄化ダクト内のみを流れることができ、フィルタ要素の清浄化を行わせる。バルブ要素と清浄化ダクトが直接接触する替わりに、バルブ要素と清浄化ダクトが共通する装置部品に当接することにより、清浄化ダクト内への流れの経路が形成されてもよい。
【００１８】
また清浄化ダクトが、清浄空気室に回転可能に装着された回転空気ダクトとして設けられてもよい。清浄化ダクトは、フィルタ要素の方に向いた少なくとも１つのダクト孔を有する。ダクト孔は、これを出て行く空気が清浄化ダクトを回転させることによりフィルタ要素の内面の全周の清浄化が行えるように配置され構成されている。しかしながら、これに替えて、清浄化ダクトが固定されたダクトであってもよく、そのダクトに多数のダクト孔を設けられることにより、同様に全周囲を確実に清浄化することが可能である。
【００１９】
上述した逆洗可能なエアフィルタに加えて、本発明は、真空掃除機も提示する。この真空掃除機は、上述したタイプの逆洗可能なエアフィルタを備えている。本発明の実施形態によれば、逆洗可能なエアフィルタを清浄化することができ、その場合、真空掃除機の吸引口が例えば第２の真空掃除機と接続される。その後、逆洗可能なエアフィルタの吸引が第２の真空掃除機の速やかな起動により行われ、それによって本発明の真空掃除機のフィルタ要素に収集された塵が第２の真空掃除機に吸引される。
【００２０】
最後に、本発明の概念には、逆洗可能なエアフィルタの、特に上述したタイプの逆洗可能なエアフィルタの動作のための方法も提示される。その場合、逆洗動作のために逆洗可能なエアフィルタは、エアフィルタの吸引口に対してフィルタ動作中の流れの方向とは逆に作用する吸引ファンと流体的に接続される。そして、エアフィルタの清浄空気出口領域に設けたバルブ要素が、清浄空気室から塵空気室の方への空気の流れにより、清浄空気出口領域を閉鎖するとともに、清浄空気室に大気を取り込むために少なくとも１つの二次空気入口経路を開放する。
【図面の簡単な説明】
【００２１】
【図１】図１は、フィルタ動作中に逆洗可能なエアフィルタを具備する真空掃除機の斜視図である。
【図２】図２は、逆止弁が閉じた図１に示した真空掃除機の斜視図である。
【図３】図３は、逆洗動作中の図１に示した真空掃除機の斜視図である。
【図４】図４は、フィルタ動作中の本発明の逆洗可能なエアフィルタの原理である。
【図５】図５は、清浄化ダクトである。
【図６】図６は、逆止弁が閉じた図４に示した逆洗可能なエアフィルタの原理である。
【図７】図７は、逆洗動作中の図４に示した逆洗可能なエアフィルタの原理である。
【発明を実施するための形態】
【００２２】
以下、本発明を例示を用いてより詳細に説明する。
図１は、逆洗可能なエアフィルタ２を具備する真空掃除機１、特に手持ち式真空掃除機を示す。逆洗可能なエアフィルタ２は、円筒状のフィルタ要素３を有し、フィルタ要素３内には、逆洗動作中にフィルタ要素３を逆洗するためのダクト孔７を具備する同軸の同じく円筒形の清浄化ダクト６が設けられている。エアフィルタ２は、逆止弁フラップ１３を具備するバルブ要素９を備えており、この逆止弁フラップは、図示したフィルタ動作中に開かれることにより、フィルタリングされた空気が真空掃除機１の吸引ファン１６に到達する。
【００２３】
図２は、閉じた逆止弁フラップ１３を具備する図１に示した、エアフィルタ２を示している。
【００２４】
図３は、逆洗動作中の図１に示したエアフィルタ２を示している。逆洗動作中は逆止弁フラップ１３が閉じられ、それによりバルブ要素９が清浄化ダクト６の方に切り換えられることにより、二次空気入口開口１１が開放され、これを通して大気がフィルタ要素３を清浄化するためにエアフィルタ２内に引き込まれることができる。
【００２５】
図４は、フィルタ動作における図１に示した逆洗可能なエアフィルタ２の詳細な構成図を示している。フィルタ動作中、逆洗可能なエアフィルタ２は、吸引口１５を通ってエアフィルタ２内に吸引される空気を清浄化する。その空気は、通常、塵及び／又は埃を含んでいる。逆洗可能なエアフィルタ２はフィルタ要素３を備え、そのフィルタ要素は例えば不織材料であるフィルタ特性をもつ物質等を具備する。フィルタ要素３は、逆洗可能なエアフィルタ２の清浄空気室４を塵空気室８から分離する。清浄空気室４は、エアフィルタ２の一部の区画であり、塵を含む空気の流れの方向においてフィルタ要素３の下流に位置する。塵空気室８は、エアフィルタ２の一部の区画であり、塵を含む空気の流れの方向においてフィルタ要素３の前方に位置する。エアフィルタ２の清浄空気室４に、ダクト孔７を具備する清浄化ダクト６が設けられている。清浄化ダクト６は、エアフィルタ２のフィルタ動作中は通気されない。
【００２６】
清浄空気室４には、清浄空気出口領域５が連結され、これを通して、フィルタ要素３により清浄化された空気が、真空掃除機１の吸引ファン１６へ到達することができる。吸引ファン１６は、エアフィルタ２の一部ではない。清浄空気出口領域５上に、ここでは例えば清浄空気出口領域５の内部にバルブ要素９が設けられている。このバルブ要素９は、エアフィルタ２の逆洗動作のために清浄空気出口領域５を閉鎖するためのものであり、清浄空気室４に大気を取り込む少なくとも１つの二次空気入口経路１０を開放するためのものである。この目的のために、バルブ要素９は、二次空気入口開口１１を有しており、これは、清浄空気出口領域５の二次空気入口開口１１に対応する。このためにバルブ要素９はさらに逆止弁１２を有しており、この逆止弁は図示の例では２つの逆止弁フラップ１３を具備する。バルブ要素９と清浄空気出口領域５の間に復帰要素１４が設けられ、ここではそれはスプリングである。
【００２７】
図５は、清浄化ダクト６を示し、この清浄化ダクト６は、フィルタ要素３の清浄化のためにエアフィルタ２の清浄空気室４内に同軸に挿入することができる。清浄化ダクト６は、例えば２つのダクト孔７を設けられており、それらは、清浄化ダクト６の軸方向にスリット形状で延在している。ダクト孔７のエア出口方向が、清浄化ダクト６の径方向に対して実質的に角度０°から逸れて設けられることにより、清浄化ダクト６は、空気が通過することで回転させられる。
【００２８】
図６は、逆止弁フラップ１３が閉鎖されている（図２と同様）、図４の逆洗可能なエアフィルタ２を示している。エアフィルタ２は、フィルタ動作から逆洗動作への切り換えによりこの状態をとる。この場合、エアフィルタ２が、例えば第２の真空掃除機の吸引ファンである吸引ファンから吸引口１５を介して負圧を受けることにより、清浄空気出口領域５に取り付けられた逆止弁１２が閉じる。このとき、清浄空気出口領域５における逆止弁１２の両方の逆止弁フラップ１３が旋回させられ、それにより清浄空気出口領域５は、真空掃除機１の吸引ファン１６から流体的に分離される。第２の真空掃除機の吸引ファンを用いた逆洗に替えて、もちろん同じ真空掃除機の吸引ファンも用いることができ、その場合、これはエアフィルタ２の吸引口１５の側に切り替えられる。
【００２９】
図７は、逆洗動作中（図３と同様）の図４及び図６に示した逆洗可能なエアフィルタ２を示す。逆洗動作中は逆止弁１２は閉鎖されており、それにより、外部の吸引ファンの吸引空気流が逆止弁フラップ１３を塵空気室８の方へ引き寄せようとする。これにより、清浄空気出口領域５上で移動可能に取り付けられたバルブ要素９が清浄化ダクト６の方に引っ張られ、バルブ要素９は、復帰要素１４の復元力に抗して移動する。清浄空気出口領域５及びバルブ要素９にそれぞれ設けられた二次空気入口開口１１が、エアフィルタ２の径方向において互いに重なることになり、その結果、空気入口経路１０が開放される。
【００３０】
エアフィルタ２は、図２に例示したように、真空掃除機１に搭載されている。エアフィルタ２は、その吸引空気経路内すなわち真空掃除機１の吸引ノズルと真空掃除機１の吸引ファン１６との間に配置されることにより、真空掃除機１に組み込まれる。特に好適には、第１の真空掃除機１の吸引ノズル上に第２の真空掃除機が接続されることにより、エアフィルタ２が清浄化すなわち逆洗される。
【００３１】
掃除のための真空掃除機１の典型的な使用においては、逆洗可能なエアフィルタ２は、図１及び図４に示したフィルタ動作中である。その場合、真空掃除機１の吸引ファン１６により、エアフィルタ２の吸引口１５を通して空気が吸引される。吸引されたエアは、エアフィルタ２の塵空気室８を通ってフィルタ要素３を通過する。フィルタリングされるべき空気がフィルタ要素３を通って流れることにより、空気に含まれる塵がフィルタリングされる。フィルタリングされたエアは、その後、（非稼働中の）清浄化ダクト６を稼働させることなく清浄空気室４内を通過する。最後に、フィルタリングされたエアは、清浄空気室４から清浄空気出口領域５へ、そして吸引ファン１６へ通過する。清浄空気出口領域５は、吸引ファン１６への経路を開放するために開かれている。このために、バルブ要素９は開放位置にあり、２つの逆止弁フラップ１３は清浄空気出口領域５の内壁上に当接し、それにより、清浄空気出口領域５の最大の流れ断面が得られる。
【００３２】
エアフィルタ２のフィルタ動作の進行により、塵と埃がフィルタ要素３上に堆積する。真空掃除機１の吸引力を維持するために、フィルタ要素３から塵と埃を除去することによりエアフィルタ２を清浄化することが必要となる。このために、真空掃除機の吸引ノズルとともにエアフィルタ２の吸引口１５が、例えば第２の真空掃除機の吸引ファンである吸引ファンと連通するように接続される。その吸引ファンは、吸引口１５を負圧とする。その結果生じる吸引口１５の方への吸引流が、逆止弁１２の逆止弁フラップ１３に作用するようにこれらの逆止弁フラップ１３が清浄空気出口領域５に設けられ、清浄空気出口領域５を閉鎖する。この状況は図６に示されている。
【００３３】
吸引口１５を介してエアフィルタ２の排気が進行することにより、逆止弁１２に作用する力が増して、バルブ要素９が清浄化ダクト６の方に引き寄せられる。この状況は図７に示されている。このようにしてバルブ要素９が清浄化ダクト６と機能的に接続されることにより、吸引された空気の流れが清浄化ダクト６のみを通って吸引口１５へと到達することができる。清浄空気出口領域５の内部でのバルブ要素９の変位によって、バルブ要素９と清浄空気出口領域５の対応する二次空気入口開口１１が互いに揃うようにスライドし、その結果二次空気入口経路１０が開放される。ここで、二次空気入口経路１０を通ってエアフィルタ２の周囲から大気が引き込まれることができる。この大気は、フィルタ要素３の清浄化のために用いられる。吸引された大気は、二次空気入口経路１０から清浄化ダクト６、フィルタ要素３、そして最後に吸引口１５を通過して吸引ファンへ至る。清浄化ダクト６のダクト孔７が径方向に沿っておらず、所定の角度で０°から逸れていることにより、空気流が流れると清浄化ダクト６が回転する。清浄化ダクト６の回転により、フィルタ要素３の内壁に対してダクト孔７が回転することで、フィルタ要素３の周囲全体を掃除することができる。フィルタ要素３に付着していた塵はフィルタ要素３から離され、塵空気室８を通って吸引口１５へと通過する。
【００３４】
エアフィルタ２がもはや負圧による吸引口１５の作用を受けなくなると、逆止弁１２に作用する吸引力が低下する。その結果、復帰要素１４の復元力が、逆止弁１２に作用する吸引力より優勢となることで、バルブ要素９は、再びフィルタ動作のためのその初期位置に後退させられる。清浄空気出口領域５の内部でのバルブ要素９の変位により、二次空気入口開口は再び互いに変位し、それと同時に二次空気入口経路１０も閉鎖される。同様に、バルブ要素９が清浄化ダクト６から離れることにより、清浄化ダクト６を通る間接的な経路ではなく、フィルタ要素３と清浄空気出口領域５の間の直接的な経路が、再び開放される。
【００３５】
このようにして清浄化されたエアフィルタ２は、ここで再びフィルタ動作のために用いることができる。
【符号の説明】
【００３６】
１  真空掃除機
２  エアフィルタ
３  フィルタ要素
４  清浄空気室
５  清浄空気出口領域
６  清浄化ダクト
７  ダクト孔
８  塵空気室
９  バルブ要素
１０  二次空気入口経路
１１  二次空気入口開口
１２  逆止弁
１３  逆止弁フラップ
１４  復帰要素
１５  吸引口
１６  吸引ファン
【図１】
0006655902.tif 000002
【図２】
0006655902.tif 000003
【図３】
0006655902.tif 000004
【図４】
0006655902.tif 000005
【図５】
0006655902.tif 000006
【図６】
0006655902.tif 000007
【図７】
0006655902.tif 000008